(57)【要約】【課題】  手品のように不可思議さを味わえ、相手の前で何度も実技可能であり、相手に渡して実技をしてもらうことも可能な玩具を提供すること。【解決手段】  ２つの外枠と、２つの外枠を向かい合うようにつなぐ矩形の台紙２とを組み合わせてなる玩具１において、２つの外枠における内側板の周壁近傍にＬ字型のスリットを有し、台紙は、長辺と平行で、前面と底面とを区分する台紙山折線と、前面の長辺を中心で２分割する前面中央谷折線と、底面の長辺を中心で２分割する底面中央山折線と、前面と前記２つの外枠との取付け部近傍に位置し、前面中央谷折線と平行な２本の前面山折線と、底面と前記２つの外枠との取付け部近傍に位置し、底面中央山折線と平行な２本の底面山折線と、底面山折線と台紙山折線との交点から、台紙山折線と４５°の角度で底面中央山折線に向かって伸びる２本の底面谷折斜線とを有することを特徴とする。【選択図】      図１
2007061521.tif 000002
【特許請求の範囲】
【請求項１】
所要幅の周壁と当該周壁に囲まれた方形の内側板を有する２つの外枠と、当該２つの外枠における内側板の内側面を向かい合わせるように、両外枠をつなぐ長辺と短辺からなる矩形の台紙とを組み合わせてなる玩具において、
前記２つの外枠における内側板の周壁近傍にＬ字型のスリットを有し、
前記台紙は、長辺と平行で、前面と底面とを区分する台紙山折線と、
前記前面の長辺を中心で２分割する前面中央谷折線と、
前記底面の長辺を中心で２分割する底面中央山折線と、
前記前面と前記２つの外枠との取付け部近傍に位置し、前記前面中央谷折線と平行な２本の前面山折線と、
前記底面と前記２つの外枠との取付け部近傍に位置し、前記底面中央山折線と平行な２本の底面山折線と、
前記底面山折線と台紙山折線との交点から、台紙山折線と４５°の角度で底面中央山折線に向かって伸びる２本の底面谷折斜線とを有することを特徴とする玩具。
【請求項２】
前記台紙は、短辺を前記Ｌ字型のスリットに固定されていることを特徴とする請求項１に記載の玩具。
【請求項３】
前記２つの外枠の周壁は、前記内側面よりも台紙方向へ僅かに突出していることを特徴とする請求項１又は請求項２に記載の玩具。
【請求項４】
前記２つの外枠は、前記台紙を保持するための台紙保持具と、当該台紙保持具の周縁を覆う台紙保持ケースとを有することを特徴とする請求項１乃至請求項３のいずれかに記載の玩具。
【請求項５】
前記台紙は、長辺の端部近傍に前記台紙保持具に係止するための保持用谷折線を有することを特徴とする請求項４に記載の玩具。
【請求項６】
前記台紙は、厚紙又は樹脂を用いていることを特徴とする請求項１乃至請求項５のいずれかに記載の玩具。
【発明の詳細な説明】
【技術分野】
【０００１】
本発明は、折紙の玩具に関する。
【背景技術】
【０００２】
昨今、手品ブームによりテレビ番組などで様々な手品が取り上げられている。又、安価で容易に実行可能な手品具が多く売り出されており、特許登録や実用新案登録もなされている。
【０００３】
昔から手品の定番の一つに切断マジックというものがある。よく見るのは女性を台に寝かせて鋸などで切断して胴体と手足をバラバラにし、又元に戻すというマジックである。このようなマジックを手軽にできるように、人の代わりに紙を用いた切断マジックの手品具が売り出されている。
【０００４】
例えば実公平７−５００号公報（特許文献１）では、紙葉切断マジックの手品具が提案されている。特許文献１では切断部材を手品具の正面から差し込むと、手品具の中に仕掛けているダミーの切断部材の歯が手品具を貫通したように裏から飛び出し、差し込んだ切断部材をスライドさせると一緒にダミーの切断部材もスライドし、まるで紙葉を切断したように見せるものである。実際は差し込んだ切断部材と裏から飛び出した歯は別のものであり、手品具内部で紙葉を迂回しているため切断されないというタネである。
【０００５】
このような手品具は、多数提案され売り出されているが、手品としてのみ使うものが多く、タネを見破られないようにする為には一度乃至数回程度しか実技をできないという問題点があった。
【特許文献１】実公平７−５００号公報
【発明の開示】
【発明が解決しようとする課題】
【０００６】
本発明は、上述したような従来技術の問題点に鑑みてなされたものであり、手品のように不可思議さを味わえ、相手の前で繰り返し実技可能な玩具を提供することを目的としている。
【課題を解決するための手段】
【０００７】
請求項１の発明の玩具（１）は、所要幅の周壁（５１）と周壁（５１）に囲まれた方形の内側板（４１）を有する２つの外枠（３，３´）と、２つの外枠（３，３´）における内側板（４１）の内側面を向かい合わせるように、両外枠（３，３´）をつなぐ長辺と短辺からなる矩形の台紙（２）とを組み合わせてなる玩具（１）において、２つの外枠（３，３´）における内側板（４１）の周壁（５１）近傍にＬ字型のスリット（７）を有し、台紙（２）は、長辺と平行で、前面と底面とを区分する台紙山折線（１０）と、前面の長辺を中心で２分割する前面中央谷折線（１１）と、底面の長辺を中心で２分割する底面中央山折線（１４）と、前面と前記２つの外枠との取付け部近傍に位置し、前面中央谷折線（１１）と平行な２本の前面山折線（１２，１３）と、底面と前記２つの外枠（３，３´）との取付け部近傍に位置し、底面中央山折線（１４）と平行な２本の底面山折線（１５，１６）と、底面山折線（１５，１６）と台紙山折線（１０）との交点から、台紙山折線（１０）と４５°の角度で底面中央山折線（１４）に向かって伸びる２本の底面谷折斜線（１７，１８）とを有することを特徴とするものである。
【０００８】
請求項１の発明によれば、２つの外枠（３，３´）を両側から挟み込むと、台紙（２）が上述した折線で、不可思議な折り畳まれかたをする玩具を提供することができる。
【０００９】
請求項２の発明は、請求項１に記載の玩具（１）において、台紙（２）が、短辺をＬ字型のスリット（７）に固定されていることを特徴とするものである。
【００１０】
請求項２の発明によれば、外枠（３，３´）のスリット（７）より紙葉（４）を挿入するとき、台紙（２）と容易に近接させることができる。
【００１１】
請求項３の発明は、請求項１又は請求項２に記載の玩具（１）において、２つの外枠（３，３´）の周壁（５１）は、内側面よりも台紙方向に僅かに突出していることを特徴とするものである。
【００１２】
請求項３の発明によれば、２つの外枠（３，３´）を閉じたとき、中の台紙（２）を突出部分が合わさってできる空間の中に隠すことができる。
【００１３】
請求項４の発明は、請求項１乃至請求項３のいずれかに記載の玩具（１）において、２つの外枠（３，３´）は、台紙（２）を保持するための台紙保持具（５）と、台紙保持具（５）の周縁を覆う台紙保持ケース（６）とを有することを特徴とするものである。
【００１４】
請求項５の発明は、請求項４に記載の玩具（１）において、台紙（２）は、長辺の端部近傍に台紙保持具（５）に係止するための保持用谷折線（２０）を有することを特徴とするものである。
【００１５】
請求項５の発明によれば、台紙（２）を台紙保持具（５）に強固に固定できる。
【００１６】
請求項６の発明は、請求項１乃至請求項５のいずれかに記載の玩具において、前記台紙（２）は、厚紙又は樹脂を用いていることを特徴とするものである。
【００１７】
請求項６の発明によれば、耐久性のある玩具（１）を提供することができる。
【発明の効果】
【００１８】
本発明によれば、手品のように不可思議さを味わえ、相手の前で繰り返し実技可能な玩具を提供することができる。
【発明を実施するための最良の形態】
【００１９】
本発明を実施するための最良の形態の玩具１は、所要幅の周壁５１と当該周壁５１に囲まれた方形の内側板４１を有する２つの外枠３，３´と、当該２つの外枠３，３´を向かい合うようにつなぐ長辺と短辺からなる矩形の台紙２とを組み合わせて構成されている。
【００２０】
台紙２は、長辺と平行で台紙２を前面と底面とに区分する台紙山折線１０と、前面の長辺を中心で２分割する前面中央谷折線１１と、底面の長辺を中心で２分割する底面中央山折線１４と、前面と２つの外枠３，３´との取付け部近傍に位置し、前面中央谷折線１１と平行な２本の前面山折線１２，１３と、底面と２つの外枠３，３´との取付け部近傍に位置し、底面中央山折線１４と平行な２本の底面山折線１５，１６と、底面山折線１５，１６と台紙山折線１０との交点から、台紙山折線１０と４５°の角度で底面中央山折線１４に向かって伸びる底面谷折斜線１７，１８とを有する。
【００２１】
２つの外枠３，３´は、内側板４１の周壁５１近傍にＬ字型のスリット７を有する。また、２つの外枠３，３´は、台紙保持具５と、台紙保持ケース６とを嵌合して構成されている。台紙２は台紙保持具５と台紙保持ケース６との間に挟持されている。
【００２２】
従って、Ｌ字型のスリット７から紙葉４を挿入して、２つの外枠３，３´を両側から挟みこむと、台紙２が備える折線で台紙２が折り畳まれ、外枠３，３´のスリット７を貫通させた紙葉４も共に折り畳まれる。このため、両側から挟みこむことにより近接している２つの外枠３，３´の間にカードを挿入すると、まるで紙葉４が切断されているように見える。
【実施例】
【００２３】
以下、本発明の実施例を図に基づいて詳説する。本実施例の玩具１は断面がＬ字型で折り線が入った台紙２と、２つの外枠３とから構成されている。台紙２は外枠３，３´を向かい合ってつなぐように取付けられており、２つの外枠３，３´を両側から挟み込むと中の台紙２が折り線に沿って折り畳まれる構造となっている。外枠３，３´の内側板４１には、隣り合う２辺と周壁５１との間に紙葉４を通すためのＬ字型のスリット７が設けられており、台紙２の端部がこのＬ字型のスリット７に取付けられている。
【００２４】
台紙２は外枠３，３´から取り外して広げると長辺と短辺からなる矩形状となっており、両側の長辺の中央には、両側の長辺と平行に台紙山折線１０を有している。台紙２をこの台紙山折線１０で折り曲げることにより断面がＬ字型となる。以下、台紙山折線１０で分割された２面のうち１面を前面とし他方の面を底面とする。又、Ｌ字型の台紙の外面を表面とし、内面を裏面とする。山折と谷折は折り方を区別するものであり、台紙２が平面時に山折と谷折は逆に折り曲げていることを意味するものである。
【００２５】
図１、図２に示すように、台紙２の前面には、前面を縦に２分割する前面中央谷折線１１と、前面左山折線１２と、前面右山折線１３を有する。前面左山折線１２と前面右山折線１３は、前面と外枠３，３´とを取付けてある部分の近傍に前面中央谷折線１１と平行に設けられており、前面を正面から見て左側を前面左山折線１２、右側を前面右山折線１３としている。前面中央谷折線１１の左側の面を左前面２１、右側の面を右前面２２とする。
【００２６】
台紙２の底面には、底面を左右に２分割する底面中央山折線１４と、底面左端近傍の底面左山折線１５と、底面右端近傍の底面右山折線１６と、底面左谷折斜線１７と、底面右谷折斜線１８を有する。底面中央山折線１４は、前面中央谷折線１１と台紙山折線１０で連続している。底面左山折線１５と底面右山折線１６は、底面と外枠３，３´が取付けてある部分の近傍に底面中央山折線１４と平行に設けられており、左側を底面左山折線１５、右側を底面右山折線１６としている。底面左谷折斜線１７は、台紙山折線１０と底面左山折線１５との交点から底面中央山折線１４に向かって、台紙山折線１０と４５°の角度で伸びており、底面右谷折斜線１８は、底面中央山折線１４を基準にして底面左谷折斜線１７と対称に伸びている。ここで、底面左谷折斜線１７と底面左山折線１５との間の三角面は第一左三角面２３とし、底面左谷折斜線１７と台紙山折線１０と底面中央山折線１４との間の三角面は第二左三角面２４とし、底面右谷折斜線１８と底面右山折線１６との間の三角面は第一右三角面２５とし、底面右谷折斜線１８と台紙山折線１０と底面中央山折線１４との間の三角面は第二右三角面２６とする。
【００２７】
紙葉４は折り曲げることにより断面をＬ字型にして、どちらか一方の外枠３，３´のＬ字型のスリット７から他方の外枠３，３´のスリット７に向かって挿入する。紙葉４を挿入した場合、図３に示すように台紙２の裏側に紙葉４が略平行に並ぶ。紙葉４は有価証券や、紙幣のように手元にあるものを用いるのがよいが、Ｌ字型断面のＬ字の全長が、外枠３，３´のスリット７のＬ字の全長より短いものであればどのような紙葉４を用いることも可能である。しかし、台紙２に支持されて折曲がるため硬い物は避けたほうがよい。
【００２８】
２つの外枠３，３´の距離を狭めると、上述した折線が折り曲がり、図４〜図９に示すように紙葉４も台紙２に支持されて同様に折り曲がる。この時の折り曲がり方について述べる。台紙山折線１０は前面と底面の両裏面が近接するように折り曲がり、前面中央谷折線１１は左前面２１と右前面２２の表面が向かい合うように折れ曲がり、前面左山折線１２は左前面２１の裏面と左外枠３の内側面が近接するように折れ曲がり、前面右山折線１３は右前面２２の裏面と右外枠３´の内側面が近接するように折れ曲がる。底面中央山折線１４は前面中央谷折線１１に近接するように折れ曲がり、底面左谷折斜線１７は第一左三角面２３と第二左三角面２４の表面が近接するように折れ曲がり、底面右谷折斜線１８は第一右三角面２５と第二右三角面２６の表面が近接するように折れ曲がり、底面左山折線１５は第一左三角面２３の裏面と左外枠３の内側面が近接するように折れ曲がり、底面右山折線１６は第一右三角面２５の裏面と右外枠３´の内側面が近接するように折れ曲がる。
【００２９】
２つの外枠３，３´が完全に閉じた場合、左外枠３の内側面から順に、第一左三角面２３、第二左三角面２４、左前面２１、右前面２２、第二右三角面２６、第一右三角面２５が重なるようにして折り畳まれ、右外枠３´の内側面が更に重ねられる。
【００３０】
台紙２は、紙葉４を挿入している状態で外枠３，３´を閉じるとき、紙葉４を一緒に折り畳むので、紙葉４より柔らかい材料を用いると台紙２の有する折線で折り畳むことが困難になる。又、余りに硬い材料を用いると外枠３，３´を閉じることが困難となる。更に、破れやすい物や割れやすい物を用いると、耐久性が悪くなる。よって、加工しやすく、紙幣や薄紙より硬い物で、耐久性のよい物を材料として用いている。これは、厚紙でもよく、軟質の樹脂板や、布に樹脂を含浸させたものでもよい。
【００３１】
本実施例の玩具１は図１０に示すように、台紙２と外枠３、３´に分解でき、外枠３、３´はさらに台紙保持具５と台紙保持ケース６に分解できる。
【００３２】
台紙２を伸ばして平面にすると図１１に示すように折れ曲がり線と切り込みを有する長方形の面となる。尚、図１１において破線は谷折、一点破線は山折を表している。上述した折れ曲がり線を平面上で表面側から述べると、台紙山折線１０と前面左山折線１２と前面右山折線１３と底面左山折線１５と底面右山折線１６と底面中央山折線１４は山折りとなり、前面中央谷折線１１と底面左谷折斜線１７と底面右谷折斜線１８は谷折りとなる。又、台紙保持具５と台紙２を取り付けるために台紙２の端部近傍に前面中央谷折線１１と底面中央山折線１４と平行に保持用左谷折線１９と保持用右谷折線２０が設けられている。
【００３３】
台紙山折線１０の端部には、台紙２の外縁から前面左山折線１２、底面左山折線１５の間に隙間を開けるように左切り込み３１が設けられており、台紙２の外縁から前面右山折線１３、底面右山折線１６の間に隙間を開けるように右切り込み３２が設けられている。これは台紙２をＬ字型にして台紙保持具５に取付けるときのＬ字の角部となり、折り曲がり易くなるように設けているものである。又、底面中央山折線１４と底面左谷折斜線１７と底面右谷折斜線１８とが交差する部分には、折り曲げ易いように略半円形に切込み３３が設けられている。更に、後述する台紙保持具５の突起７を避けるために突起用の切込み３４が設けられている。
【００３４】
台紙保持具５は図１０、図１２に示すように方形の内側板４１と、任意の高さの内壁４２から構成されており、内側板４１には上述したように隣り合う２辺と内壁４２との間にスリット７が設けられている。又、向かい合う内壁４２の一組の外縁には、台紙保持ケース６に固定するための突起４３が設けられている。台紙保持具５の内側板４１の面積は、台紙２の左前面２１、右前面２２より僅かに大きく成型されている。保持用左谷折線１９と保持用右谷折線２０とで折曲がってできた面の端部側は、台紙保持具５に鉤止するように、台紙保持具５に取付けられる。台紙２の突起用の切り込み３４はこの突起４３を避けるために設けている。
【００３５】
台紙保持ケース６は、周壁５１を枠とする方形の枠形であり、台紙保持具５との間に台紙２を挟持して、台紙保持具５を嵌合して固定するための物である。台紙保持ケース６の周壁５１の方形部の全長は、台紙保持具５の外縁の大きさより僅かに大きく成型されており、周壁５１の内面には突起５２と嵌合するためのくぼみ９が設けられている。
【００３６】
台紙保持具５と台紙保持ケース６を嵌合して固定した場合、台紙保持ケース６の周壁５１の下部と台紙保持具５の内側板４１の内側面との間に僅かに段差ができるように成型されている。この段差は、外枠３，３´で台紙２を挟み込むとき、右側の外枠３´の内側板４１の内側面と左側の外枠３の内側板４１の内側面との間に折り畳まれた台紙２を収納する空間を形成し、折り畳まれた台紙２がこの段差の中に隠れるように設けたものである。
【００３７】
尚、本実施例では外枠３，３´を台紙保持具５と台紙保持ケース６の２つで構成しているが、台紙２に固定することができればよく、この形状に限定するものではない。又、台紙２と外枠３，３´を一体成型することも可能である。
【００３８】
次に本実施例の玩具１の遊戯方法について述べる。図１３（ａ）に示すように、玩具１と、輪ゴムなどのバンドと、４枚の長方形のカードと、紙幣を用意する。図１３（ｂ）に示すように、玩具１を閉じた状態でゴムバンドなどで固定しておき、カード４枚と一緒に机の上に置く。図１３（ｃ）に示すように、用意しておいた又は相手から借りた紙幣を見せ、長手方向に平行に２つ折りする。図１３（ｄ）に示すように、折った紙幣をＬ字型に整えテーブルの上に置く。
【００３９】
図１４（ａ）に示すように、玩具１からバンドを外し両手で外枠３，３´を持って広げる。図１４（ｂ）に示すように、お札を玩具１のＬ字型のスリット７からそっと挿入し、図１４（ｃ）に示すように、ちょうど真ん中に位置させる。図１４（ｄ）に示すように中央近くを持って、紙幣が入っている状態をよく相手に見せる。
【００４０】
図１５（ａ）に示すように、少し左を向き、左手で玩具１を持ち、底面を下、前面が相手に向くようにする。この時「イリュージョンマジックのような不思議な折り紙をご覧に入れましょう。両端が見えていますね。この状態で不思議なことがおこります。」などと相手に語りかけ注意を惹きつける。図１５（ｂ）に示すように、右手を広げて正面を隠しそのカゲで左手で外枠３，３´を左手の指でつまむようにして縮め、図１５（ｃ）に示すように、しっかり縮めたら右手をどけて見せる。紙幣は自動的に台紙２に沿って折り畳まれるので、「お札が不思議な状態に折り畳まれました」等と声をかけながらお札の状態を前後左右からよく見せる。図１５（ｄ）に示すように、「一見、縮んでしまったようにも見えますし・・・。こうして開くとお札が切れているようにも見えます。」等と声をかけながら左前面２１と右前面２２を開いて相手に見せる。
【００４１】
図１６（ａ）、（ｂ）に示すように、玩具１を閉じ、体の正面に位置させてしっかり挟みこんで持つ。カードを１枚取り上げ、玩具１の間の一番手前の隙間にチューブの半分の深さまで差し込む。差し込む場所は玩具１の外枠３，３´の角から台紙の折り目の間に差し込む。図１６（ｃ）に示すように、今度は反対側の角から別のカードを半分まで差し込む。図１６（ｄ）に示すように、玩具１全体を右に９０°回し、２枚のカードの奥に３枚目のカードを差し込む。図１６（ｅ）に示すように、反対側にも差し込むと、図１６（ｆ）に示すように、４方向からカードがささったことになる。相手には完全にお札は分離しているように見え不思議に見える。「完全にこちらとこちらに分かれているように見えるでしょう。でもこれは不思議に畳まれているだけなんですよ。」と相手に声をかける。
【００４２】
カードを差し込む位置については、１枚のカードは、左外枠３の内側板４１の内側面と第一左三角面２３の間、又は右外枠３´の内側板４１の内側面と第一右三角面２５の間に外枠３，３´の角部から差し込む。他の１枚のカードは、第一左三角面２３と第二左三角面２４の間、又は第一右三角面２５と第二右三角面２６の間に外枠３，３´の角部から差し込む。残りの２枚のカードは、左前面２１と右前面２２の間に外枠３，３´の角部から差し込む。また、左前面２１と右前面２２の間は四角の面が向かい合っているため、斜めに支える折線がないので、外枠３，３´の角で挟持するものである。
【００４３】
そして、外枠３，３´の間には上述したように段差による空間があるため、折り畳まれた台紙２を収納して隠すことができ、外枠３,３´の周壁５１を指先で調整することにより、台紙２の間の何れかの空間にカードを挿入することも容易にできる。
【００４４】
その後、図１７（ａ）に示すように、４枚のカードを抜き取る。図１７（ｂ）、（ｃ）に示すように、玩具１の外枠３，３´を持って玩具１を広げる。ここで「その証拠にカードを取って広げるとお札は元のままです。」と言いながら、図１７（ｄ）に示すように、お札を抜き出す。このとき下側を左親指で押さえながら、折り目をなくすように抜き出す。完全に抜き出したらお札を両手で持ってピンと張って見せながら、折り目を目立たなくするようにする。玩具１を最初の状態に閉じてバンドをして終了する。尚、図１３から図１７では紙葉４として紙幣を用いているが、これに限定されるものではない。
【００４５】
本実施例の玩具１は台紙の折り方に特徴を有するものであるが、通常の手品具であるならば完全に紙葉４を切断したように見せ、相手にも切断してしまったかのように声をかけて手品をするが、本実施例では、折り方に特徴があり、不思議な折り方をしているだけであることを相手に伝えながら演技をするので、相手はどんな折り方がされているのか不可思議に思い、しかも頭の中だけで折られた状態を把握することは極めて困難なため、その折られた状態の形状を推測させる遊びとして繰り返して見せることもできる。よって一度見せたら終了という手品具と違って何度も楽しむことができる。
【図面の簡単な説明】
【００４６】
【図１】本発明の一つの実施例の玩具の正面下方斜視図。
【図２】本発明の一つの実施例の玩具の背面側からの斜視図。
【図３】本発明の一つの実施例の玩具の紙葉を挿入したときの背面側からの斜視図。
【図４】本発明の一つの実施例の玩具の折り畳み説明図。
【図５】本発明の一つの実施例の玩具の折り畳み説明図。
【図６】本発明の一つの実施例の玩具の折り畳み説明図。
【図７】本発明の一つの実施例の玩具の折り畳み説明図。
【図８】本発明の一つの実施例の玩具の折り畳み説明図。
【図９】本発明の一つの実施例の玩具の折り畳み説明図。
【図１０】本発明の一つの実施例の玩具の分解図。
【図１１】本発明の一つの実施例の玩具の台紙の表面の平面図。
【図１２】本発明の一つの実施例の玩具の台紙保持具の図。
【図１３】本発明の一つの実施例の玩具の遊戯方法の説明図。
【図１４】本発明の一つの実施例の玩具の遊戯方法の説明図。
【図１５】本発明の一つの実施例の玩具の遊戯方法の説明図。
【図１６】本発明の一つの実施例の玩具の遊戯方法の説明図。
【図１７】本発明の一つの実施例の玩具の遊戯方法の説明図。
【符号の説明】
【００４７】
１  玩具
２  台紙
３  左外枠
３´  右外枠
４  紙葉
５  台紙保持具
６  台紙保持ケース
７  スリット
１０  台紙山折線
１１  前面中央谷折線
１２  前面左山折線
１３  前面右山折線
１４  底面中央山折線
１５  底面左山折線
１６  底面右山折線
１７  底面左谷折斜線
１８  底面右谷折斜線
１９  保持用左谷折線
２０  保持用右谷折線
２１  左前面
２２  右前面
２３  第一左三角面
２４  第二左三角面
２５  第一右三角面
２６  第二右三角面
３１〜３４  切り込み
４１  内側板
４２  内壁
４３  突起
５１  周壁
５２  くぼみ
【図１】
2007061521.tif 000003
【図２】
2007061521.tif 000004
【図３】
2007061521.tif 000005
【図４】
2007061521.tif 000006
【図５】
2007061521.tif 000007
【図６】
2007061521.tif 000008
【図７】
2007061521.tif 000009
【図８】
2007061521.tif 000010
【図９】
2007061521.tif 000011
【図１０】
2007061521.tif 000012
【図１１】
2007061521.tif 000013
【図１２】
2007061521.tif 000014
【図１３】
2007061521.tif 000015
【図１４】
2007061521.tif 000016
【図１５】
2007061521.tif 000017
【図１６】
2007061521.tif 000018
【図１７】
2007061521.tif 000019